(57)【特許請求の範囲】
【請求項１】
貯水可能な円柱状の水槽本体と、
前記水槽本体に接続して用いる消火用ホースと、
前記ホースから放水されるように水槽本体内の水を加圧するためのエアバッグ装置と、
前記円柱状の水槽本体の外周に嵌め込まれた複数のタイヤと、
防火水槽を横倒し状態で転動させる際に用いる牽引手段と、
前記牽引手段を収納するための収納室と、
を具備する防火水槽。
【請求項２】
前記牽引手段は、
相互連結可能な複数本のバーと、
前記複数本のバーを相互に繋ぐ紐状部材と、
を有していることを特徴とする請求項１に記載の防火水槽。
【発明の詳細な説明】
【技術分野】
【０００１】
本発明は、火災発生時に消火活動に利用することができ、また、災害時に非常用の飲料水や生活用水を供給できるサーバーとして利用できる可動式防火水槽に関するものである。
【０００２】
昔、「水」は用水と言って多目的に使われていた。例えば、庭の水まき、植木の水やり、動物用の飲料水のほか、火災発生時の消火活動などに重要な役割を果たしていた。このような用水は、初期消火には役立っており、重要な役割を果たしてきた。また、常に水の管理が行われており、清らかな水を入れていたので、飲料水として利用することもできた。しかも、昔は井戸が主流だったので（電気を使わないので）、水の供給には何ら問題は無かった。
【０００３】
しかしながら、現在では電気を利用した水道システムが主流となっているので、地震などによって電気が不通になると、全てが動かなくなってしまう。つまり、電気を利用した水道システムは、現代においての「穴」なのである。なお、阪神淡路大震災や東日本大震災の際も、電気の復旧には、何か月もの期間を要している。したがって、電気を利用した水道システムは、災害に対して極めて脆弱であることがわかる。
【０００４】
一方、火事の際、初期消火が重要であることは一般的によく知られているが、現代における初期消火の手段としては、いわゆる「消火器」が一般的に使われている。しかし、消火器の場合、消火剤が出るのは、せいぜい３０秒から１分ほどである。つまり、初期消火に有効とされている「消火器」というのは、１分を超えると火に対して役に立たないのである。
【０００５】
そこで、本発明者は、水槽内に水を貯めるとともに、炭酸ガスなどの圧縮ガスを入れ、そのガス圧で水を加圧することを思い付いたが、水と炭酸ガスは溶けやすく炭酸水となってしまうことに注目した。そこで、圧縮ガスが水に溶けないように、加圧用のエアバッグを利用すれば、水に対する炭酸ガスの加圧が確実に発揮されることを思いつき、本願発明を発明するに至った。
【背景技術】
【０００６】
従来より一般的に用いられている消防用設備の一つに「消火器」がある。消火器は小型で可搬性に優れているため、個人用・企業用の消防用設備として広く一般に普及している。
【０００７】
また、「消火器」以外の手段による一般的な消火方法としては、代表的なものとして消防車が利用され、また、初期火災に対してはバケツやホースを利用した消火活動が一般的に行われている。
【発明の概要】
【発明が解決しようとする課題】
【０００８】
「消防車」を利用した消火活動は、火災規模の大小にかかわらず最も効果的である。しかしながら、阪神淡路大震災のような大規模災害が発生した場合には、広範囲で同時多発的に大規模火災が発生するため、数限られた「消防車」による消火活動に期待することはできない。また、一般的な消防車は大型であるため、住宅密集地で発生した火災に対応できない可能性がある。
【０００９】
一方、今後数年から数十年以内に、首都直下地震などの大規模災害が高い確率で発生することが予想されており、その場合、首都圏などにおいて大規模火災が同時多発的に発生することになる。そのような大規模火災から身を守るためには、国や自治体による消防活動だけに頼るのではなく、町内会などの地域コミュニティのレベル、あるいは個人レベルで大規模火災に対応できるように備えておく必要がある。
【００１０】
しかしながら現在までのところ、地域レベルあるいは個人レベルで用意されている火災に対する備えは、前述した消火器のほか、バケツやホースといった程度のものである。
【００１１】
「消火器」は、小型で可搬性に優れていて、出火直後の極めて小規模の火災には対応できる。しかしながら、消火器による消火剤の放射時間・放射距離は極めて短いため、大規模火災は勿論こと、延焼した家屋の火災といった中規模火災にはまったく対応することができない。
【００１２】
「ホース」を利用した消火は、消火活動の現場に水道の蛇口や消火栓が無い場合、消火可動そのものを行うことができない。また、そのような蛇口や消火栓は、あらゆる場所に設置されているものではないため、災害発生時の消火手段としてホースに期待することはできない。
【００１３】
「バケツ」を利用した消火は、古くから行われてきたが、バケツでは水を遠くまで集中的に放水することができず、また、いわゆるバケツリレー方式で水を運ぶ過程で多くの水が流れ落ちるため、著しく作業効率が悪い。そのため、災害発生時の消火手段として、バケツによる消火活動に期待することはできない。
【００１４】
上述した従来技術の問題点に鑑み、本発明の目的は、消火器やバケツといった古典的な消防用設備よりも遥かに消化能力が高くて、大規模火災にも対応することができ、また、地域レベルや個人レベルでも簡単に入手できるように低コストで製造可能な消防用設備を提供することにある。
【課題を解決するための手段】
【００１５】
上記目的は、
貯水可能な円柱状の水槽本体と、
前記水槽本体に接続して用いる消火用ホースと、
前記ホースから放水されるように水槽本体内の水を加圧するためのエアバッグ装置と、
前記円柱状の水槽本体の外周に嵌め込まれた複数のタイヤと、
を具備する防火水槽によって達成される。
【００１６】
この防火水槽は、防火水槽を横倒し状態で転動させる際に用いる牽引手段を、更に具備する。
【００１７】
また、この防火水槽は、前記牽引手段を収納するための収納室を、更に具備する。
【００１８】
また、この防火水槽における牽引手段は、相互連結可能な複数本のバーと、前記複数本のバーを相互に繋ぐ紐状部材を有する。
【００１９】
また、この防火水槽におけるタイヤは、水槽本体の外周に少なくとも２本嵌め込まれている。ホースは、タイヤとタイヤの間において水槽本体の外周に巻き付けることができるように設けられている。
【発明の効果】
【００２０】
消防用設備として利用できる本発明の防火水槽は、「エアバッグ装置」を具備している。このエアバッグ装置は、ホースから水が勢いよく放水されるように水槽本体内の水を強制的に加圧する役割を担っている。このエアバッグ装置が具備する「エアバッグ」はガス圧を受けて膨らみ、水槽本体内の水を押し退けるように強制的に加圧する。つまり、本発明では、圧縮ガスが水に直接触れて加圧するのではなく、圧縮ガスと水との間にエアバッグ（膨らむことが可能な袋状部材）が介在して、圧縮ガスが間接的に水を加圧している。このように、加圧用の圧縮ガスが水に対して直接的に触れることが一切無いので、加圧用ガスが水槽本体内の水に溶解したり分散することがなく、水槽本体内の水の全体をガス圧で確実に放水できるといった格別の効果が達成される。
【００２１】
また、本発明の防火水槽において、水槽本体は円柱状（例えばドラム缶形状）に形成され、また、その外周には複数のタイヤ（例えばゴム製のタイヤなど）が嵌め込んである。したがって、防火水槽を横倒しにして転がすことができるので、満水の防火水槽を人力で転がして移動することが可能である（車両などの移動手段が不要）。さらに、ドラム缶程度の大きさであれば、小回りがきき、消防車などが入り込めない狭い路地にも速やかに進入できるので、大規模災害発生時における住宅密集地での初期消火が可能になる。
【００２２】
また、本発明の防火水槽は、使用済のドラム缶などを再利用して製造できるので、製造コストが安価で済む。したがって、消防車に匹敵するほどの効果的な消防用設備を、町内会などの地域コミュニティや個人のレベルで入手し、町の至る所に設置することが可能である。
【００２３】
また、本発明の防火水槽において、エアバッグ装置は、交換可能に取り付けることができる。これにより、エアバッグ装置を交換するだけで防火水槽を何度も再利用することが可能になる。
【００２４】
また本発明の防火水槽は、防火水槽を横倒し状態で転動させる際に用いる牽引手段を具備している。牽引手段としては、例えば、手動式整地ローラーなどが具備するコの字状のフレーム部材（ハンドル）を用いることができる。このような牽引手段を利用することで、防火水槽を引っ張ったり押したりして移動することが可能になり、また、その移動の際に方向制御や姿勢制御が容易になる。
【００２５】
また本発明の防火水槽は、上述した牽引手段を収納するための「収納室」を備えている。防火水槽をいざ使うときに、牽引手段が紛失していると、防火水槽の移動が極めて困難になる。その点、本発明によれば、防火水槽に牽引手段を常に装備させることができるので、防火水槽を長年にわたって放置した場合でも、牽引手段が紛失する虞が全く無く、いざというときに速やかに牽引手段を取り出すことが可能になる。
【００２６】
また本発明の防火水槽において、牽引手段は、相互連結可能な複数本のバーを含んで構成されている。この複数本のバーは、紐状部材で相互に繋がれている。紐状部材は、テントポールのショックコードの如く、バーを相互に繋いでいる。このように、複数本のバーをロープなどの紐状部材で繋いでおくことで、牽引手段を折り畳むことが可能になり、また組み立てが容易になる。また、この紐状部材は、各バーが、他のバーと適切に（正しい組み合わせで）連結するように、各バーをガイドする役割を担っている。したがって、牽引手段を組み立てる際に、誤った組み合わせでバーを連結させることがなく、誰が組み立てても、紐状部材によるガイドによって必ず正しい組み合わせでバーを組み合わせることができる。
【図面の簡単な説明】
【００２７】
【図１】本発明の防火水槽を示す斜視図であって、図１(A)は牽引部材を収納室に収めた状態を示しており、図１(B)は牽引部材を収納室から取り出して水槽本体に取り付けた状態を示している。
【図２】本発明の防火水槽の概略構成を示す断面図である。
【図３】本発明の防火水槽の概略構成を示す断面図である（図２に示す実施形態の変形例）。
【図４】牽引部材をコの字状に組み立てて防火水槽の水槽本体に取り付けた状態を示す平面図である。
【図５】牽引部材を分解して折り畳んだ状態を示す平面図である。
【図６】水槽本体に対する牽引部材の連結構造を示す断面図である。
【図７】防火水槽のエアバッグ装置を作動させて消火用ホースから放水している様子を示す作動図である。
【発明を実施するための形態】
【００２８】
本発明の防火水槽は、ドラム缶のような円柱状の外観に形成されている。この防火水槽は平時には災害発生に備えて民家の庭先や路地などに多数縦置きされ、火災発生時には、横倒し状態で火災現場まで人力で転がして移動し、消火のための放水活動に利用される。また、大規模地震などの災害発生時には、非常用の飲料水や生活用水を供給するためのサーバーとして利用することも可能である。
【００２９】
はじめに、本発明の防火水槽の具体的構成について説明する。
【００３０】
（防火水槽の構成）
【００３１】
本発明の防火水槽は、図１及び図２に示すように、主として、次の各構成を備えている。
１）  貯水可能な円柱状の水槽本体３。
２）  水槽本体３の外周に嵌め込まれたゴム製のタイヤ４，５。
３）  水槽本体３に接続して用いる可撓性の消火用ホース７。
４）  ホース７の先端から放水されるように水槽内の水を加圧するエアバッグ装置１０。
５）  防火水槽１を横倒し状態で転がす際に用いる牽引部材２０（牽引手段）。
６）  牽引部材２０を紛失しないように収納しておくための筒状部材４３（収納室８）。
７）  水槽本体３内の水を飲み水に利用する際に使う消毒装置９。
【００３２】
以下、上記の各構成の詳細について説明する。
【００３３】
円柱状の水槽本体３は、使用済みのドラム缶などから構成され、図２に示すようにその内側の貯水空間３１に水を貯めることができる。水槽本体３のサイズは特に限定されないが、例えば使用済みのドラム缶を使用する場合には、高さ約９０ｃｍ、直径６０ｃｍのサイズを有する。なお、このサイズは一例である。
【００３４】
また、この円柱状の水槽本体３は、図２に示すように、次の各構成を具備している。
１）内部に水を貯め込むための貯水空間３１。
２）エアバッグ装置１０が取り付けられるエアバッグ室３２。
３）水槽本体３内に注水するための注水口３３。
４）水槽本体３内の水を交換する際に開放される排水口３４。
【００３５】
エアバッグ室３２は筒状部材４１によって形成され、その筒状部材４１は水槽本体３の天板３６に固定されている。注水口３３と排水口３４には、それぞれ、ねじ込み式の蓋３８，３９が取り付けてある。
【００３６】
上記構成の水槽本体の外周（両端寄り）には、ゴム製のタイヤ４，５が嵌め込んである。この２本のタイヤ３，４は、防火水槽１を横倒し状態で転がす際に、地面に接地して人力での牽引を容易にするほか、転がす際に小石などの障害物から水槽本体３を保護する役割などを担っている。また、このタイヤ３，４は、後述するとおり、消火用ホース７を巻き付けるための空間（巻き付け領域）を両タイヤ３，４の間に形成する役割を担っている。
【００３７】
消火用ホース７は、ゴムホースなどの可撓性部材で構成され、タイヤ３，４の間において水槽本体３の外周面に巻きつけてある。このホース７の一端は、水槽本体３に形成されたホース接続口に接続されており（図示せず）、また、ホース７の他端側は、図７に示すように放水口として機能するようになっている。防火水槽１を使って消火活動する際には、巻き付けてあるホース７を繰り出して、その先端の放水口を消火対象に近づける。
【００３８】
なお本発明では、図２に示すように、水槽本体３の外周面からのタイヤ３，４の突出幅ｗ１は、ホース７の突出幅ｗ２よりも大きい。したがって、防火水槽１を横倒しにしても、水槽本体３の外周面と地面との間に、タイヤ３，４の突出幅ｗ１（ｗ１＞ｗ２）の分だけ隙間が確保される。つまり、防火水槽１を横倒しにしても、その外周面でホース７が押し潰されることはない。また、防火水槽１を転がして移動する過程で、水槽本体３の外周面と地面との間に足や手を挟み込むことがないので安全である。
【００３９】
図１(B)に示す牽引部材２０は、図４及び図５に詳細に示すように、相互連結可能な複数本のバー２１〜２７と、これらのバーを相互に繋ぐロープ２９（紐状部材）を含んで構成されている。この牽引部材２０は、分解して折り畳んだ状態で、水槽本体３の収納室８に収納されるようになっている。この収納室８は、図２に示すように、筒状部材４３によって形成されている。収納室８は、この筒状部材４３によって周囲の貯水空間３１から隔離されている。
【００４０】
牽引部材２０を収容するための筒状部材４３は、図２に示すように、水槽本体３内の貯水空間３１の端（内壁寄り）に設けられている。このように貯水空間３１の端（内壁寄り）に筒状部材４３を設けることで、貯水空間３１内におけるエアバッグの作用（後述）を妨げることがない。
【００４１】
また、この筒状部材４３は、その内側の収容室８に水が進入しないように設けられている。さらに、収容室８に砂やゴミなどが入らないように、筒状部材４３の上端側にはねじ込み式の蓋４０が設けられている。
【００４２】
なお、筒状部材４３の取り付け位置は、必ずしも図２に示すように水槽本体３の内側（貯水空間３１）に限られるものではなく、たとえば、金具４５などを使って水槽本体３の外部に着脱自在に取り付けることも可能である。このように筒状部材４３を水槽本体３の外部に着脱自在に取り付けることで、防火水槽１を横倒し状態で転動させる際に、筒状部材３が邪魔になることがない。
【００４３】
消毒装置９は、水槽内の水を消毒するための塩素ガスを具備している。消毒装置９の上面側に設けたスイッチを押し込むことで、消毒装置９の下面側から塩素ガスが放出される。これにより水槽内の水に塩素ガスが溶解して消毒され、水槽内の防火用水を非常用の飲み水として利用することが可能になる。
【００４４】
（エアバッグ装置の構成）
次に、エアバッグ装置１０の具体的構成について説明する。
エアバッグ装置１０は、水槽本体３のエアバッグ室３２に、縦向きに固定された状態で収納されている。
【００４５】
このエアバッグ装置１０は、図２に示すように、主として、次の構成を一体的に具備している。
１）ガス圧を受けて膨らむことが可能なエアバッグ１１。
２）このエアバッグ１１をまとまった状態で収納しておくための容器１３。
３）エアバッグ１１を膨らませるための圧縮ガスを貯蔵するガスボンベ１５。
４）ガスボンベ１５の上端部に一体的に設けられたねじ込み式の蓋１７。
５）ガスボンベ１５のバルブを開放させる押しボタン式のスイッチ１９。
【００４６】
エアバッグ１１は、ガスボンベ１５の接続口（ガス放出口）にシーリング状態で接続されている。このエアバッグ１１は、ガスボンベ１５からの圧縮ガスの放出を受けて膨らむことで、水槽本体３内の水を加圧し押し退ける役割を担っている。したがって、エアバッグ１１は、耐圧性に優れているとともに、ガス及び水を通さない素材（例えばゴム素材などを含む複合素材）で形成することが好ましい。
【００４７】
エアバッグ１１を収納する容器１３は、平時はエアバッグ１１をコンパクトに折り畳んだ状態で収容し、ガス圧を受けてエアバッグ１１が膨らみ始めると、該エアバッグを解放する。この容器１３は、ガスボンベ１５の下端側に固定されている。
【００４８】
ガスボンベ１５には、エアバッグ１１をガス圧で膨張させるための圧縮ガス（例えば、圧縮された炭酸ガス）が貯留されている。
【００４９】
ねじ込み式の蓋１７は、ガスボンベ１５の上端部と一体となるように固定されている。この蓋１７を水槽本体３の天板３６の所定箇所にねじ込むことで、エアバッグ室３２の上側の開口部が塞がれるとともに、エアバッグ装置１０の全体がエアバッグ室３２の内側で縦向きに垂れ下がった状態で固定される。
【００５０】
押しボタン式のスイッチ１９は、蓋１７の上面側に設けられている。このスイッチ１９を押し込むことで、ガスボンベ１５のバルブが解放し、水槽本体３内の水の加圧（エアバッグ１１の膨張）に必要な高圧ガスの放出が開始される。
【００５１】
エアバッグ室３２は、図２に示すように、水槽本体３の内側空間に突き出た筒状部材４１によって形成されている。この筒状部材４１の上端は、水槽本体３の天板３６に固定されている。また、筒状部材４１の上端開口部は、ねじ込み式の蓋１７によって塞がれるようになっている。筒状部材４１の下端開口部は、容器１３に収納されたエアバッグ１１の膨張を妨げないように、開口したままの状態となっている。
【００５２】
（牽引部材の構成）
次に、牽引部材２０の具体的構成について説明する。
【００５３】
牽引部材２０は、平時は折り畳んだ状態で収納されていて、火災発生時には図４に示すように「コの字状」に組み立て利用する。コの字状に組み立てた牽引部材２０の両端は、図６に示すように水槽本体３の天板３６，底板３７の中心部に連結され、横倒し状態の防火水槽１を押したり引いたりして転動させる手段として利用される。
【００５４】
この牽引手段２０は、図４に示すように、次の各バーを具備している。
１）使用時において牽引作業者が手で握るセンターバー２１。
２）センターバー２１の右端にネジ結合し、作業者の右側に位置する右バー２３。
３）右バー２３の後端にネジ結合し、作業者の右側後方寄りに位置する右後方バー２４。
４）センターバー２１の左端にネジ結合し、作業者の左側に位置する左バー２６。
５）左バー２６の後端にネジ結合し、作業者の左側後方寄りに位置する左後方バー２７。
【００５５】
センターバー２１の左右両端の外周面には、左右のバー２３，２６とネジ結合するための外ネジが形成してある。
【００５６】
右バー２３の先端側には、Ｌ字型のジョイント部５１が一体的に設けられ、そのＬ字型ジョイント部の内側には、センターバー２１の右端の外ネジ部と螺合可能な内ネジが形成してある。また、右バー２３の後端側には、ストレート型のジョイント部５２が一体的に設けられ、そのストレート型ジョイント部の内側には、右後方バー２４の先端の外ネジ部と螺合可能な内ネジが形成してある。
【００５７】
左バー２６の先端側には、Ｌ字型のジョイント部５４が一体的に設けられ、そのＬ字型ジョイント部の内側には、センターバー２１の左端の外ネジ部と螺合可能な内ネジが形成してある。また、左バー２６の後端側には、ストレート型のジョイント部５５が一体的に設けられ、そのストレート型ジョイント部の内側には、左後方バー２７の先端の外ネジ部と螺合可能な内ネジが形成してある。
【００５８】
上述した各バー２１〜２７は金属製でパイプ状に形成されており、図４及び図５に示すように、その内側には各バーを繋ぐ（各バーを連結順に繋ぐ）ロープ２９が設けられている。
【００５９】
このロープ２９（紐状部材）は、一般的なテントポールで使うショックコードの如く、バー２１〜２７を連結順に直列状に繋いでいる。このように、複数本のバーをロープ２９で直列状に繋いでおくことで、牽引部材２０を折り畳むことが可能になり、また組み立てが容易になる。また、このロープ２９は、各バーが、他のバーと適切に（正しい組み合わせ位置で）連結するように、各バーをネジ結合する際にガイドする役割を担っている。したがって、牽引部材２０を組み立てる際に、誤った組み合わせでバーを連結させることがなく、誰が組み立てても、ロープ２０によるガイドによって正しい組み合わせで速やかに各バーを組み合わせることができる。
【００６０】
上述した構成の牽引部材２０は、図５に示すように分解して折り畳んだ状態で、水槽本体３の収納室８に収納される。図２に示すように、収納室８は、有底の筒状部材４３の内側空間に形成されている。この筒状部材４３は、水槽本体３の内側空間の端寄り、つまり水槽本体３の内壁寄りに付けられている。
【００６１】
筒状部材４１の下端は、水槽本体３の底板３７の内壁側中心部に突き当たった状態で、固定されている。筒状部材４３の上端は開口しており、その外縁は、水槽本体３の天板３６（上蓋）と一体となるように固定されている。また、筒状部材４３の上端側の内壁には、内ネジが形成されており、栓をなす蓋６１がねじ込まれるようになっている。
【００６２】
なお、収納室８は、筒状部材４３によって周囲の貯水空間から隔離されているので、水槽本体３が満水状態のときに収納室８に水が進入することはない。
【００６３】
（牽引部材と水槽本体との連結構造）
次に、図６に基づいて、水槽本体３に対して牽引部材２０を連結するための構造について説明する。
【００６４】
水槽本体３の円形天板３６の中心部には、略円柱状の連結部材６１（ボス）が突設されている。連結部材６１は、防火水槽１を横倒し状態で転がす際に、回転軸として機能する。この円柱状連結部材６１の先端側には僅かに径が拡がった拡径部６４が形成されている。
この連結部材６１が差し込まれる差込孔７１が左後方バー２７の後端に形成されている。差込孔７１は、その内側で連結部材６１が回転可能に嵌り込む形状を有している。
連結部材６１に対して左後方バー２７（差込孔７１）を真っ直ぐに且つゆっくりと押し込むことで、連結部材先端の拡径部６４が一時的に縮径方向に弾性変形し、差込孔７１の中間に形成された拡径部に入り込むと同時に原形に復帰し、連結部材６１と差込孔７１の両者が嵌合する。
そして、連結部材６１と差込孔７１がひとたび嵌合すると、左後方バー２７（差込孔７１）を軸方向に真っ直ぐ引き抜かない限り、両者の嵌合状態は維持される。つまり、連結部材６１と左後方バー２７（差込孔７１）とがロックした状態に維持される。
両者の嵌合を解除する際には、連結部材６１に対して左後方バー２７（差込孔７１）を真っ直ぐに且つゆっくりと引っ張ることで、連結部材先端の拡径部６４が一時的に縮径方向に弾性変形し、差込孔７１から排出される。
【００６５】
一方、水槽本体３の円形底板３７の中心部にも、略円柱状の連結部材６２（ボス）が突設されている。連結部材６２は、防火水槽１を横倒し状態で転がす際に、回転軸として機能する。この円柱状連結部材６２の先端側には僅かに径が拡がった拡径部６７が形成されている。
この連結部材６２が差し込まれる差込孔７４が右後方バー２４の後端に形成されている。差込孔７４は、その内側で連結部材６２が回転可能に嵌り込む形状を有している。
連結部材６２に対して右後方バー２４（差込孔７４）を真っ直ぐに且つゆっくりと押し込むことで、連結部材先端の拡径部６７が一時的に縮径方向に弾性変形し、差込孔７４の中間に形成された拡径部に入り込むと同時に原形に復帰し、連結部材６２と差込孔７４の両者が嵌合する。
そして、連結部材６２と差込孔７４がひとたび嵌合すると、右後方バー２４（差込孔７４）を軸方向に真っ直ぐ引き抜かない限り、両者の嵌合状態は維持される。つまり、連結部材６２と右後方バー２４（差込孔７４）とがロックした状態に維持される。
両者の嵌合を解除する際には、連結部材６２に対して右後方バー２４（差込孔７４）を真っ直ぐに且つゆっくりと引っ張ることで、連結部材先端の拡径部６７が一時的に縮径方向に弾性変形し、差込孔７４から排出される。
【００６６】
上記のような連結構造を採用している結果、バー２１〜２７（牽引部材２０）を押し引きすることで、横倒し状態の水槽本体３は地上で自在に転動するが、その際に、バーと一体の差込孔７１，７４が連結部材６１，６２（回転軸）から抜け出ることは無い。つまり、バー２１〜２７を含む牽引部材２０を人力で押し引きすることで水槽本体３が転がって、火災発生現場まで確実に辿り着くことができる。
【００６７】
（防火水槽の消防用設備としての利用方法）
次に、上述した防火水槽を消火用設備として利用する際の具体的手順について説明する。
【００６８】
本発明の防火水槽１は、ドラム缶を縦置きできるほどのスペースがあれば何処にでも設置することができる。例えば、民家の庭、路地、学校、公民館、その他の各種施設などのあらゆる場所に設置することができる。
【００６９】
例えば、大規模地震などで同時多発的に火災が発生した場合、あるいは、消防車が進入し難い住宅密集地などで火災が発生した場合などには、火災発生後ただちに、予め設置しておいた防火水槽を横倒しにする。
【００７０】
続いて速やかに、水槽本体３の外周から牽引部材２０を取り外して、図４に示すように適切な組み合わせでバーの端部同士をネジ結合し、全体としてコの字状になるように組み立てる。
【００７１】
牽引部材２０の組み立てが完了したら、図６に示すように、回転軸として機能する連結部材６１，６２の拡径部６４，６７を、バー２７，２４の差込孔７１，７４に対して、真っ直ぐに挿し込んで、牽引部材２０の両端を水槽本体３に対して確りと連結する。以上の手順を経て、防火水槽１の移動の準備が完了する。
【００７２】
続いて図４に示すように、コの字状に組み立てた牽引部材２０の内側スペースに、牽引作業者が入り込み、センターバー２１を確りと掴んで、人力で水槽本体３を牽引する。その際、必要であれば、他の者が水槽本体３を後方から押したり、牽引部材２１を共同で引っ張ることも可能である。
【００７３】
円柱状の水槽本体３は、引っ張ったり押したりすることで地面を転がって移動する。このような転動を続けて、防火水槽を可能な限り火災現場の傍まで近づける。
【００７４】
防火水槽１が火災現場に到着したら、続いて、水槽本体３の外周に巻き付けてある消火用ホース７を繰り出す。なお、本発明では、図２に示すように２つのタイヤ４，５によって、水槽本体３の外周面と地面との間には一定の隙間ｗ１が確保されているので、水槽本体３によってホース７が挟まれたり押しつぶされることはない。
【００７５】
巻き付けてあったホース７をすべて繰り出して、そのホース先端の放水口を火の元に近づけたら、次に、エアバッグ装置１０のスイッチ１９を押し込んで、エアバッグ装置を作動させる。このとき、スイッチ１９の押し込み操作によって、ガスボンベ１５のバルブが一気に開放し、放出された高圧ガスを受けてエアバッグ１１が急速に膨張し始める。
【００７６】
高圧ガスを受けて膨張し始めたエアバッグ１１は、図７(A)に示すように、その外周面によって周囲の水を押し退けるように強制的に加圧する。その結果、水槽内で急激に加圧された水が、ホース先端の放水口から勢いよく放水され続ける。なお本実施形態において、筒状部材４３（収納室８）は図２に示すように貯水空間３１の端、すなわち内壁寄りに設けられるので（あるいは図３に示すように水槽本体３の外部に着脱自在に設けられるので）、筒状部材４３がエアバッグ１１の膨らみと水の加圧を邪魔することはない。
【００７７】
一方、水槽本体３の内部では、エアバッグ１１が高圧ガスを受けて膨張し、水槽本体内の水を絶え間なく加圧し続ける。そして、エアバッグ１１は、図７(B)に示すように筒状部材４３の周囲を取り囲むように膨張し、やがて、水槽本体内の貯水空間３１がエアバッグ１１でほぼ占められることになり、その段階に至ると放水が終了する。
【００７８】
放水によって火災現場が鎮火したら、消火用ホース７を図１に示すように再び水槽本体３の外周面に巻き付けて（あるいは水槽本体３からホース７を取り外して）、もとの設置場所まで牽引して転がしながら撤収する。もとの設置場所に辿り着いたら、水槽本体３から牽引部材２０を取り外すとともに、分解して折り畳む。そして、横倒し状態の水槽本体３を起こして元通りに縦置きする。
【００７９】
（防火水槽の非常用飲料水サーバーとしての利用方法）
次に、上述した防火水槽１を非常用飲料水サーバーとして利用する際の具体的手順について説明する。
【００８０】
例えば、大規模地震が発生した場合などには、停電に伴う断水が発生することが予想される。その場合には、はじめに消毒装置９を作動させて、塩素ガスなどを水槽本体３内に放出し、水槽内の防火用水を消毒する。以後は、水槽内の水を非常用の飲み水や生活用水などとして使用することができる。
【００８１】
（防火水槽のメンテナンス方法）
上述したとおり、本発明の防火水槽は、消火用設備として利用できるほか、非常時の飲み水を供給するサーバーとして利用することが可能である。そのため、水槽本体３内の水は、定期的に（例えば１年程度で）入れ替えることが好ましい。水槽本体３内の水を交換する際には、図２に示す底板側の蓋３９を開いて、排水口３４を介してすべての水を排出して、再び蓋３９を閉じる。続いて、天板側の蓋３８を開いて、注水口３３から水を注入して、再び蓋３８を閉じる。
【００８２】
防火水槽１を、消火活動に利用した際には、上記と同様の手順で、水槽本体３内に水を貯める。また、エアバッグ室３２から使用済のエアバッグ装置１０を取り外して、新たなエアバッグ装置を装着する。したがって、本発明の防火水槽は、水を交換したり、エアバッグ装置を交換することで、何度も繰り返し使うことができる。
【符号の説明】
【００８３】
１      防火水槽
３      水槽本体
４      タイヤ
５      タイヤ
７      消火用ホース
８      収納室
９      消毒装置
１０    エアバッグ装置
１１    エアバッグ
１３    容器
１５    ガスボンベ
１７    ねじ込み式の蓋
１９    押しボタン式のスイッチ
２０    牽引部材（牽引手段）
２１    センターバー
２３    右バー
２４    右後方バー
２６    左バー
２７    左後方バー
２９    ロープ（紐状部材）
３１    貯水空間
３２    エアバッグ室
３３    注水口
３４    排水口
３６    天板（水槽本体の上蓋）
３７    底板（水槽本体の下蓋）
３８    ねじ込み式の蓋
３９    ねじ込み式の蓋
４０    ねじ込み式の蓋
４１    筒状部材
４３    筒状部材
４５    取り付け金具
５１    Ｌ字型のジョイント部
５２    ストレート型のジョイント部
５４    Ｌ字型のジョイント部
５５    ストレート型のジョイント部
６１    連結部材（回転軸／ボス／円柱状突起）
６２    連結部材（回転軸／ボス／円柱状突起）
６３    凹部
６４    拡径部
６６    凹部
６７    拡径部
７２    拡径部
７５    拡径部
【要約】
【課題】消化能力が高く、大規模火災に対応することができ、低コストで製造可能な消防用設備を提供すること。
【解決手段】消防用設備として利用できる本発明の本発明の防火水槽１は、貯水可能な円柱状の水槽本体と、水槽本体に接続して用いる消火用ホース７と、このホース７から放水されるように水槽本体内の水を加圧するためのエアバッグ装置１０と、円柱状の水槽本体の外周に嵌め込まれた複数のタイヤと、防火水槽を横倒し状態で転動させる際に用いる牽引手段と、この牽引手段を収納するための収納室４３を具備する。エアバッグ装置１０が具備するエアバッグ１１はガス圧を受けて膨らみ、水槽本体内の水を押し退けるように強制的に加圧する。本発明では、加圧用の圧縮ガスが水に対して直接的に触れることが一切無いので、加圧用ガスが水槽本体内の水に溶解したり分散することがなく、水槽本体内の水の全体をガス圧で確実に放水できる。
【選択図】図７【図１】
0005953394.tif 000002
【図２】
0005953394.tif 000003
【図３】
0005953394.tif 000004
【図４】
0005953394.tif 000005
【図５】
0005953394.tif 000006
【図６】
0005953394.tif 000007
【図７】
0005953394.tif 000008